(57)【特許請求の範囲】
【請求項１】
表側が開口し且つ第１方向に長い凹部を有する器具と前記第１方向に複数個の発光素子が配されてなる発光ユニットとを備え、前記発光ユニットの裏側が前記器具の凹部に入り込む状態で前記発光ユニットが前記器具に取り外し可能に取り付けられる照明装置において、
前記発光ユニットは、前記第１方向の各端から当該第１方向の内側へ間隔をおいた部位から前記凹部内へと突出する突出部と、前記突出部を前記凹部の前記第１方向の外部から前記凹部の内部へと案内するガイド部とを有する
照明装置。
【請求項２】
前記ガイド部は、前記第１方向において前記突出部よりも内側に存在し、前記突出部に向かう登り勾配の傾斜面を有する
請求項１に記載の照明装置。
【請求項３】
前記突出部は前記第１方向の各端部において前記突出部の突出方向と前記第１方向とに直交する第２方向に間隔をおいて複数個存在し、
前記ガイド部は前記第１方向の各端部において前記第２方向の両側に存在する
請求項２に記載の照明装置。
【請求項４】
前記複数個の突出部は前記突出方向から見たときに矩形状をし、
前記ガイド部は、前記複数個の突出部のうち、前記第２方向の両端に位置する突出部における前記第２方向の外方側の側面と面一となる状態で、前記両端に位置する突出部に一体に設けられている
請求項３に記載の照明装置。
【請求項５】
前記発光ユニットは前記複数個の発光素子を覆う前記第１方向に長い透光性カバーを備え、
前記透光性カバーは、前記第１方向に直交する断面において、前記凹部の開口部分の前記第２方向の寸法と略同一の寸法のままでカバー本体から突出する一対の突出部分と、前記一対の突出部分のそれぞれに隣接して前記凹部に入り込む一対の入り込み部分とを有し、
前記突出部分は前記第２方向へと凹入する凹入領域を有する
請求項３に記載の照明装置。
【発明の詳細な説明】
【技術分野】
【０００１】
本発明は、発光ユニットと器具とを備える照明装置に関する。
【背景技術】
【０００２】
近年、白熱電球や蛍光灯に比べて消費電力が少なく耐久性に優れた、発光ダイオード（ＬＥＤ：Light Emitting Diode。以下「ＬＥＤ」と記す）を使用した照明装置が実用化されている。この様なＬＥＤを使用した照明装置のうち、天井面等の設置面に設置するタイプのＬＥＤベースライトは、先に設置面に取り付ける器具と、器具に取り付ける発光ユニットとに分れているものが多い。
例えば特許文献１の照明装置は、表側が開口し且つ第１方向に長い凹部を有する器具と第１方向に複数個の発光素子が配されてなる発光ユニットとを備え、発光ユニットの裏側が器具の凹部に入り込む状態で発光ユニットが器具に取り外し可能に取り付けられる。
【先行技術文献】
【特許文献】
【０００３】
【特許文献１】特開２０１５−１０９２１６号公報
【発明の概要】
【発明が解決しようとする課題】
【０００４】
特許文献１に記載の照明装置では器具の凹部内に発光ユニットの裏側が嵌め込まれる。このため、器具の第１方向の端面と発光ユニットの第１方向の端面とで段差が生じ、意匠性が劣ってしまう。
本発明は、このような事情に鑑みてなされたものであって、意匠性の高い照明装置を提供することを目的とする。
【課題を解決するための手段】
【０００５】
上記課題を解決するために、本発明の一態様に係る照明装置は、表側が開口し且つ第１方向に長い凹部を有する器具と前記第１方向に複数個の発光素子が配されてなる発光ユニットとを備え、前記発光ユニットの裏側が前記器具の凹部に入り込む状態で前記発光ユニットが前記器具に取り外し可能に取り付けられる照明装置において、前記発光ユニットは、前記第１方向の各端から当該第１方向の内側へ間隔をおいた部位から前記凹部内へと突出する突出部と、前記突出部を前記凹部の前記第１方向の外部から前記凹部の内部へと案内するガイド部とを有する。
【発明の効果】
【０００６】
本発明によれば、発光ユニットの突出部を第１方向の端から内側に間隔をおいて設けているので、第１方向の端部において発光ユニットと器具との段差を少なくできる。また、例えば発光ユニットの突出部が器具の凹部における第１方向の外側に位置する状態で、突出部が凹部内に入るように発光ユニットを器具に対してスライドさせた際にも、ガイド部があるため突出部の凹部への挿入をスムーズに行える。
【図面の簡単な説明】
【０００７】
【図１】本実施形態に係る照明装置の外観を示す図である。
【図２】照明装置の中央側の断面図である。
【図３】器具から発光ユニットを取り外した際の外観を示す図である。
【図４】器具の概要を示す図であり、（Ａ）は被取付面側から見た図であり、（Ｂ）は発光面側から見た図である。
【図５】照明装置の端側の断面図である。
【図６】器具側端部カバーの斜視図である。
【図７】発光ユニットの分解斜視図である。
【図８】発光ユニットの長手方向の中央部での横断面図である。
【図９】基板固定部材の斜視図である。
【図１０】基板固定部材の図であり、（Ａ）は発光素子基板の長手方向の一方から見た図であり、（Ｂ）は発光素子基板の長手方向の他方から見た図であり、（Ｃ）は斜視図である。
【図１１】配線固定部材の図であり、（Ａ）は支持部材側から見た図であり、（Ｂ）は斜視図である。
【図１２】主反射部材の斜視図である。
【図１３】発光側端部カバーの図であり、（Ａ）は内側から見た斜視図であり、（Ｂ）は内側から見た側面図であり、（Ｃ）は平面図である。
【図１４】発光ユニットの器具本体への取り付けを説明する図である。
【図１５】金属製の器具側端部カバーの斜視図である。
【図１６】変形例に係る透光性カバーを備える照明装置の断面図である。
【図１７】変形例に係る透光性カバーを備える照明装置の断面図である。
【発明を実施するための形態】
【０００８】
［概要］
一態様に係る照明装置は、表側が開口し且つ第１方向に長い凹部を有する器具と前記第１方向に複数個の発光素子が配されてなる発光ユニットとを備え、前記発光ユニットの裏側が前記器具の凹部に入り込む状態で前記発光ユニットが前記器具に取り外し可能に取り付けられる照明装置において、前記発光ユニットは、前記第１方向の各端から当該第１方向の内側へ間隔をおいた部位から前記凹部内へと突出する突出部と、前記突出部を前記凹部の前記第１方向の外部から前記凹部の内部へと案内するガイド部とを有する。
別態様に係る照明装置において、前記ガイド部は、前記第１方向において前記突出部よりも内側に存在し、前記突出部に向かう登り勾配の傾斜面を有する。これによりガイド部を容易に設けることができる。
別態様に係る照明装置において、前記突出部は前記第１方向の各端部において前記突出部の突出方向と前記第１方向とに直交する第２方向に間隔をおいて複数個存在し、前記ガイド部は前記第１方向の各端部において前記第２方向の両側に存在する。これにより、前突出部が凹部の外部から内部に入るように発光ユニットをスライドさせた際に発光ユニットを安定した姿勢でガイドできる。
【０００９】
別態様に係る照明装置において、前記複数個の突出部は前記突出方向から見たときに矩形状をし、前記ガイド部は、前記複数個の突出部のうち、前記第２方向の両端に位置する突出部における前記第２方向の外方側の側面と面一となる状態で、前記両端に位置する突出部に一体に設けられている。これによりガイド部を容易に設けることができる。
別態様に係る照明装置において、前記発光ユニットは前記複数個の発光素子を覆う前記第１方向に長い透光性カバーを備え、前記透光性カバーは、前記第１方向に直交する断面において、前記凹部の開口部分の前記第２方向の寸法と略同一の寸法のままでカバー本体から突出する一対の突出部分と、前記一対の突出部分のそれぞれに隣接して前記凹部に入り込む一対の入り込み部分とを有し、前記突出部分は前記第２方向へと凹入する凹入領域を有する。これにより発光ユニットを器具に取り付ける際に、突出部分を利用することで発光ユニットを器具に取り付けやすくできる。
【００１０】
以下において、本実施形態の照明装置が天井に取り付けられた場合を想定（図４参照）し、図４に示すように、床から天井へ向かう方向を『上方向』とし、天井から床へ向かう方向を『下方向』とする。また、図中の説明においては、鉛直上向き（前記上方向）を『Ｚ方向』、鉛直下向き（前記下方向）を『−Ｚ方向』とし、照明装置の長手方向の一方を『Ｘ方向』、他方向を『−Ｘ方向』とし、照明装置の短手方向（幅方向）の一方を『Ｙ方向』、他方向を『−Ｙ方向』とする。なお、本発明における「第１方向」は照明装置及び発光ユニットの長手方向と一致し、本発明における「第２方向」は照明装置及び発光ユニットの短手方向と一致する。
【００１１】
［照明装置の全体構成］
図１は、本実施形態に係る照明装置１の外観を示す図である。
図２は、照明装置１の断面図である。
図３は、器具１０から発光ユニット２０を取り外した際の外観を示す図である。
照明装置１は、例えば天井又は壁等の被取付面に取り付けられる第１方向に長いＬＥＤベースライトであり、器具１０及び発光ユニット２０を備える。
器具１０は、吊りボルトにより被取付面に固定される金属製の部材であり、発光ユニット２０が取付けられる長尺状の凹部１１１（図４参照）を有している。なお、図４では、空間である凹部１１１を示す引き出し線の先端を、凹部１１１を構成する底板部１１４と区別するために、矢印としている。
発光ユニット２０は、ＬＥＤ等の発光素子２１を長手方向に配列し、電源部２９を搭載した長尺状の発光体（発光装置）であり、発光素子２１の発光面側を覆い光を拡散させて透過する長尺状の透光性カバー２２を含む。発光ユニット２０を器具１０の凹部１１１に取り付けた状態において、図２に示すように、透光性カバー２２が凹部１１１における一対の内側板部１１５ａ，１１６ａのそれぞれの開口の周辺部分に接触している。
【００１２】
［器具の詳細な説明］
図４は器具１０の概要を示す図であり、（Ａ）は被取付面側から見た図であり、（Ｂ）は発光面側から見た図である。
図４の（Ａ）及び図４の（Ｂ）に示すように、器具１０は、器具本体１１、一対の器具側端部カバー１２１,１２２を備える。器具１０は、器具本体１１、器具側端部カバー１２１，１２２の他、例えば、バネ部１３ａ，１３ｂ、端子台１４を備える。なお、器具側端部カバー１２１，１２２は器具本体１１の長手方向の両端に設けられる。
【００１３】
器具１０の凹部１１１は、表側が開放し（開口１１１ａである。）且つ長手方向に長い状態で形成されている。凹部１１１は、底板部１１４と、底板部１１４の長辺から開口１１１ａに向かう一対の内側板部１１５ａ，１１６ａと、底板部１１４の短辺から略垂直に開口１１１ａに向かう一対の器具側蓋部１２１ａ，１２２ａとにより構成されている。
一対の内側板部１１５ａ，１１６ａは底板部１１４から開口１１１ａに向かうに従って間隔が広くなるように傾斜している。つまり、一対の内側板部１１５ａ，１１６ａは開口１１１ａに向かって外拡がりに傾斜している。一対の器具側蓋部１２１ａ，１２２ａは略平行に設けられている。
【００１４】
器具本体１１は、例えば金属板を曲げ加工することにより形成されており、略中央に位置する略長方形の底板部１１４と、底板部１１４の長辺の一方（図４の（Ｂ）における−Ｙ側）を境界線として隣接する側板部１１５と、底板部１１４の長辺の他方（図４の（Ｂ）におけるＹ側）を境界線として隣接する側板部１１６とからなる。
底板部１１４は、金属製の長方形の平板の略中央部分を固定し、側板部１１５との境界線の位置で発光面側へＸ度（Ｘは、６０以上  ８０以下の範囲内が好ましい。）に折り曲げ、同様に、側板部１１６との境界線の位置とで発光面側へＸ度に折り曲げることで形成されている。ここで、底板部１１４の主面の一方（表面）が凹部１１１における底面１１４ａを構成する。
【００１５】
側板部１１５，１１６は、底板部１１４との境界線の位置で発光面側へ折り曲げられた当該境界線側を固定し、当該境界線と平行な折返線の位置で、取付面側へ折り曲げることで形成されている。ここで、当該境界線と当該折返線とにより囲まれた領域が、凹部１１１における一対の内側板部１１５ａ，１１６ａを構成する。
側板部１１５，１１６は、器具本体１１の長手方向に直交する断面において、発光面側に凸の「Ｌ」字状をし、凹部１１１を構成する内側板部１１５ａ，１１６ａと、凹部１１１と反対側に折り返された外側板部１１５ｂ，１１６ｂとを有する。
【００１６】
底板部１１４には、吊りボルト用孔１５と電力供給ケーブル用孔１６とが設けられている。吊りボルト用孔１５は、吊りボルトにより被取付面に器具１０又は器具本体１１を取り付ける際に、吊りボルトを通すために設けられた貫通孔である。電力供給ケーブル用孔１６は、電力供給ケーブルを被取付面から凹部１１１内に引き込むために設けられた貫通孔である。
【００１７】
器具側端部カバー１２１，１２２は例えば樹脂製であり、射出成形やプレス成形により得られる。器具側端部カバー１２１，１２２は、器具本体１１の長手方向の各端を覆うように取り付けられ、その一部が凹部１１１における一対の端壁である器具側蓋部１２１ａ，１２２ａを構成する。
【００１８】
ここで、凹部１１１は、底板部１１４、一対の側板部１１５，１１６、器具側端部カバー１２１，１２２で囲まれる空間であり、凹部１１１の開口１１１ａは、側板部１１５，１１６の折返線、器具側端部カバー１２１，１２２における発光面側の端縁部分で囲まれる領域である。
器具側端部カバー１２１，１２２は同じ構成であるため、以下、器具側端部カバー１２１について説明する。なお、器具側端部カバー１２１の構成を説明する「１２１」に加えられるアルファベットは、器具側端部カバー１２２の説明は省略しているが、器具側端部カバー１２２にも同様に使用する。
【００１９】
図６は器具側端部カバー１２１の斜視図である。
器具側端部カバー１２１は、図６に示すように、器具本体１１の長手方向と直交する板状の器具側蓋部１２１ａを有する。
器具側端部カバー１２１は、器具側蓋部１２１ａから器具本体１１側へと延伸して器具本体１１の裏面と当接する裏面当接部１２１ｂ，１２１ｃ，１２１ｄ，１２１ｅを有している。なお、裏面当接部１２１ｂ，ｃは側板部１１５，１１６の内側板部１１５ａ，１１６ａに当接する。裏面当接部１２１ｄ，ｅは側板部１１５，１１６の外側板部１１５ｂ，１１５ｂに当接する。
【００２０】
器具側端部カバー１２１は器具側蓋部１２１ａから器具本体１１の凹部１１１部へと延伸して凹部１１１の底板部１１４の底面１１４ａに当接する表面当接部１２１ｆを有する。表面当接部１２１ｆは器具側端部カバー１２１における器具本体１１の短手方向に相当する方向の中央に位置する。
器具側端部カバー１２１は、表面当接部１２１ｆにおける器具本体１１の短手方向に相当する方向の両側に器具本体１１への取付手段が設けられている。取付手段は、器具本体１１側に延伸する延伸片１２１ｇの先端に設けられ係合凸部１２１ｈにより構成される。なお、係合凸部１２１ｈは器具本体１１の長手方向の端部に設けられた係合孔１１４ｂ（図４参照）に係合する。
【００２１】
器具側端部カバー１２１は延伸片１２１ｇにおける器具本体１１の短手方向の両側に一対の延伸部１２１ｊを有する。一対の延伸部１２１ｊは器具側蓋部１２１ａの裏側端から器具本体１１側に延伸する。一対の延伸部１２１ｊは器具本体１１の短手方向の両端に器具本体１１と結合するための結合手段が設けられている。結合手段は延伸部１２１ｊを貫通する貫通孔１２１ｋにより構成される。
貫通孔１２１ｋには器具本体１１の側板部１１５，１１６の係合片１１５ｄ，１１６ｄが係合する（図３参照）。側板部１１５，１１６は外側板部１１５ｂ，１１６ｂにおける内側板部１１５ａ，１１６ａと反対側の端部で短手方向の内方へ折り曲げられており、長手方向の端部に設けられた切欠き１１５ｅ，１１６ｅにより係合片１１５ｄ，１１６ｄが変形可能とされている（図３参照）。
【００２２】
器具側端部カバー１２１は器具本体１１の長手方向の外方からみたときに、高さが低い截頭二等辺三角形（斜辺の傾きが同じである台形状である。）の截頭部分が底辺側（裏側）に凹入したような形状をしている。なお、凹入した凹入部分の符号を１２１ｍとする。器具側端部カバー１２１は、凹入部分１２１ｍの底側から立設する立設部１２１ｎを有している。この立設部１２１ｎは後述の発光ユニット２０の当接部３４ｋ，３５ｋと当接する。
【００２３】
バネ部１３ａ，１３ｂは、例えば金属製のバネであり、底板部１１４に固定されている。バネ部１３ａ，１３ｂは後述する発光ユニット２０のバネ受部２８ａ，２８ｂと係合することにより、発光ユニット２０の一部が器具１０の凹部１１１に入り込んだ状態が維持される。
【００２４】
端子台１４は、ネジ等により底板部１１４に固定されており、電力供給ケーブルが被取付面から電力供給ケーブル用孔１６を通って凹部１１１内に引き込まれて端子台１４に接続され、後述する電源部２９に電気的に接続される。
【００２５】
［発光ユニットの詳細な説明］
図７は、発光ユニット２０の分解斜視図である。
図８は、発光ユニット２０の長手方向の中央部での横断面図である。
図２、図４、図７及び図８に示すように、発光ユニット２０は、筐体３２内に複数個の発光素子２１を収容してなる。なお、軸方向は器具本体１１の長手方向と一致する。
筐体３２は、筒状の筐体本体３３と、筐体本体３３の軸方向の端部を塞ぐ発光側端部カバー３４，３５とから構成される。筐体本体３３は、発光素子２１を支持する支持部材２４と、発光素子２１を覆う透光性カバー２２とから構成される。
本実施形態の発光ユニット２０は、発光素子２１、透光性カバー２２、発光素子基板２３、支持部材２４、基板固定部材２５，２６、配線固定部材２７、バネ受部２８ａ，２８ｂ、電源部２９、主反射部材３０、副反射部材３１及び発光側端部カバー３４，３５を含む。
【００２６】
発光素子２１は、ＬＥＤ等の電力の供給を受けて発光する小型の発光体であり、ここでは図８に示すように二列に配列され、発光素子基板２３の長手方向に沿って複数個配されている。
【００２７】
透光性カバー２２は、例えば樹脂製であり、長尺状であって発光素子２１を覆い、発光素子２１から放射された光を拡散させて透過する機能を備える。また、透光性カバー２２は、図８に示すように、長手方向に直交する断面において、発光素子２１を覆うカバー本体２２０と、凹部１１１の開口部分の短手方向の幅と略同一のまま又は短手方向の幅より小さいままで器具１０から突出する一対の突出部分２２１（図２参照）と、一対の突出部分２２１のそれぞれに隣接して、凹部１１１に入り込む一対の入り込み部分２２２とを有する。
【００２８】
カバー本体２２０は、図８に示すように，長手方向に直交する断面において、Ｕ字状（コ字状、Ｖ字状も同じ概念である。）をしている。一対の突出部分２２１は長手方向と直交する断面において、カバー本体２２０の各端から延伸している。延伸方向は発光素子２１の光の主出射方向と略平行であって出射する向きと反対向きである。入り込み部分２２２は突出部分２２１におけるカバー本体２２０と連結している側と反対側の端から延伸している。延伸方向は凹部１１１を構成する一対の内側板部１１５ａ，１１６ａに沿う方向である。
【００２９】
ここで、発光ユニット２０がたわんだ場合には、凹部１１１に入り込んでいた一対の入り込み部分２２２が露出する（露出している部分の面積が広くなる。）ことになるので、器具１０と発光ユニット２０との境界部分に隙間が生じないため、見栄えが悪くならない。
また、一対の突出部分２２１がそれぞれ略平面であり、互いに平行であるため、取り扱いの際に作業者が一対の突出部分２２１を掴むことにより、発光ユニット２０をしっかりとホールドすることができ、見栄えを悪くせずに、取り扱い易くすることができる。
また、透光性カバー２２が、器具１０の開口１１１ａから横方向（短手方向）に食み出さないので、見た目がスッキリしてデザイン性に優れる。
【００３０】
一対の突出部分２２１は、図８に示すように、それぞれ、少なくとも外側の一部に凹凸２２１ａを有することが好ましい。特に取り扱いの際に作業者が掴むと重量バランスがよい２か所又は４か所に凹凸２２１ａを設けるか、あるいは全体（全長に亘って）に凹凸２２１ａを設けると、凹凸２２１ａが滑り止めとなり、発光ユニット２０をよりしっかりとホールドすることができるようになるので、より好ましい。また、一対の突出部分２２１の大部分に凹凸２２１ａを設けると、デザイン性にも優れる。
上記凹凸２２１ａを設けるとは、突出部分２２１の外側の表面に何等かの方法（例えば、加工や成形）を施すことをいうが、当該表面の形状を変形させてもよいし、当該表面に凹凸となるような他の材料を付着（例えば塗布である。）させてもよい。
凹凸２２１ａには、例えば、突出部分２２１の外側の表面で凹凸を設けていない部分を基準として凹みと凸むとの両方から構成される場合だけでなく、凹凸を設けていない部分を基準として凹みのみから構成される場合や凸むのみから構成される場合も含む概念である。
【００３１】
凹凸２２１ａは、突出部分２２１の厚み方向に形成される凹み又は凸むを上下方向に延伸させて縦縞状に構成してもよいし、突出部分２２１の厚み方向に形成される凹み又は凸むを透光性カバー２２の長手方向に延伸させて横縞状に構成してもよい。凹凸２２１ａを上下方向・長手方向に交差させて網目状に構成してもよい。さらに凹凸２２１ａを傾斜状に設けてもよい。
凹凸２２１ａの断面形状は、矩形波状であってもよいし、三角波状であってもよいし、間隔をおいて三角状、矩形状、半円状に突出又は凹入してもよい。凹凸２２１ａの高低差は０．１［ｍｍ］以上、３［ｍｍ］以下の範囲内が好ましい。
【００３２】
例えば、突出部分２２１の外側の表面で凹凸を設けていない部分を基準として凹凸が凹みのみから構成される場合は、０．１［ｍｍ］以上  １．４［ｍｍ］以下の範囲内が好ましい。但し、凹みを除いた肉厚は０．３［ｍｍ］程度必要である。例えば、突出部分２２１の外側の表面で凹凸を設けていない部分を基準として凹凸が凸むのみから構成される場合は、０．１［ｍｍ］以上  肉厚（凸むを除いた肉厚である。）以下の範囲内が好ましい。例えば、突出部分２２１の外側の表面で凹凸を設けていない部分を基準として凹凸が凹みと凸むとの両方から構成される場合は、０．１［ｍｍ］以上３［ｍｍ］以下の範囲内が好ましい。但し、凹みを除いた肉厚は０．３［ｍｍ］程度必要である。
凹凸のピッチは、０．１［ｍｍ］以上２［ｍｍ］以下の範囲内が好ましい。
【００３３】
一対の入り込み部分２２２は、凹部１１１における一対の内側板部１１５ａ，１１６ａに丁度収まるように、凹部１１１の開口１１１ａから底板部１１４の長辺方向に向かうに従って互いの間隔が狭くなっている。これにより、一対の入り込み部分２２２のそれぞれの外側は、凹部１１１における一対の内側板部１１５ａ，１１６ａのそれぞれに接触した状態で、発光ユニット２０が器具１０に取り付けられる。
また、透光性カバー２２は、図８に示すように、長手方向に直交する断面において、一対の突出部分２２１のそれぞれの内側と、一対の入り込み部分２２２のそれぞれの内側とに、内方へと突出する一対の突出片２２１ｂ，２２２ａを有している。ここで、片側の突出部分２２１の突出片２２１ｂと入り込み部分２２２の突出片２２２ａとで構成される１組の突出片２２１ｂ，２２２ａ間の距離は、後述する支持部材２４の折返部２４ｂの大きさに対応している。支持部材２４の折返部２４ｂは、基板支持部２４ａの短手方向の両端のそれぞれから短手方向の斜め外方（斜め下方）へ向かった後に折り返されて短手方向の内方へ向かう一対の部分である。折返部２４ｂは、図８に示すように、一対の入り込み部分２２２のそれぞれの内側に当接して、透光性カバー２２を支える（この観点からはおいては当接部とも言える。）。これにより、透光性カバー２２の突出片２２１ｂと突出片２２２ａとの間の部分が、支持部材２４の折返部２４ｂに嵌合して、透光性カバー２２が支持部材２４に取り付けられる。
ここで、発光素子２１の発光の際に発生した熱は、発光素子基板２３、支持部材２４、一対の入り込み部分２２２を経由して器具本体１１に伝導する。
【００３４】
発光素子基板２３は、例えばガラスエポキシ等の難燃性の材料によりなる長尺状の回路基板であり、一方の面に複数の発光素子２１が実装される。なお、発光素子基板２３は、複数の基板を接続したものであってもよい。本実施形態では、図７に示すように、発光素子基板２３は、発光素子基板２３ａと発光素子基板２３ｂの２枚を接続したものであり、これらは配線（図示省略）により接続されている。なお、配線は、後述する配線固定部材２７に固定され、発光素子２１からの光を遮るのを抑制している。
【００３５】
支持部材２４は、例えば金属製であり、図８に示すように、取付面側に凹む底部分に形成された基板支持部２４ａを有している。基板支持部２４ａは、発光素子基板２３よりも幅が広く、短手方向の中央部分に発光素子基板２３が支持される。また支持部材２４は、発光素子２１の熱を放熱及び伝熱するヒートシンクの機能を備える。
図８に示すように、長手方向と直交する断面において、支持部材２４は、透光性カバー２２を装着する（一対の突出片２２１ｂ，２２２ａと嵌合する）ための折返部２４ｂを短手方向の端部に有する。支持部材２４は、基板支持部２４ａと折返部２４ｂとを連結する連結部２４ｃを有している。一対の連結部２４ｃは、基板支持部２４ａと直交する方向（発光素子２１の光出射する方向である。）に湾曲した後、発光素子２１からその光の出射方向に離れるに従って両連結部２４ｃの間隔が大きくなるように傾斜状に広がっている。なお、連結部２４ｃは後述の主反射部材３０を支持する機能も有する。
【００３６】
図７に示すように、支持部材２４は、配線を通すための貫通孔や、基板固定部材２５，２６、配線固定部材２７、バネ受部２８ａ，２８ｂ、電源部２９を固定するための貫通孔を基板支持部２４ａに複数有する。
図９は、基板固定部材２５の斜視図である。
図７及び図９に示すように、基板固定部材２５は、例えば樹脂製の固定具で複数個あり、長尺状の発光素子基板２３を長手方向に間隔をおいて固定する。基板固定部材２５は、図９に示すように、支持部材２４の取付面側に配されるベース部２５ａと、ベース部２５ａから立設する一対の立設部２５ｂと、一対の立設部２５ｂの立設先端から他方の立設部２５ｂに向かって延伸する延伸部２５ｃとを有する。
【００３７】
一対の立設部２５ｂは発光素子基板２３の長手方向に沿って延伸する。一対の立設部２５ｂの間隔は発光素子基板２３の短手方向の寸法に対応する。一対の立設部２５ｂは、支持部材２４の貫通孔２４ｄを挿通して発光素子基板２３の長手方向に沿う端部（短手方向と直交する端部）へと延伸する。立設部２５ｂの立設高さは、長手方向の中央部が低く、端部で高くなっている。基板固定部材２５における長手方向の中央部での延伸部２５ｃとベース部２５ａとの間隔は、支持部材２４の基板支持部２４ａの厚みと発光素子基板２３の厚みと主反射部材３０の厚みの合計に略等しい。これにより、一対の延伸部２５ｃが発光素子基板２３の長手方向に沿う端部を係止する係止片を構成する。
【００３８】
図１０は、基板固定部材２６の図であり、（Ａ）は発光素子基板２３の長手方向の一方から見た図であり、（Ｂ）は発光素子基板２３の長手方向の他方から見た図であり、（Ｃ）は斜視図である。
図７及び図１０に示すように、基板固定部材２６は、例えば樹脂製の固定具であり、長尺状の発光素子基板２３ａ，２３ｂの隣接する部分を固定する。基板固定部材２６は、図１０に示すように、支持部材２４の取付面側に配されるベース部２６ａと、ベース部２６ａから立設する一対の立設部２６ｂと、一対の立設部２６ｂの立設先端から他方の立設部２６ｂに向かって延伸する延伸部２６ｃとを有する。
【００３９】
一対の立設部２６ｂは発光素子基板２３の長手方向に沿って延伸する。一対の立設部２６ｂの間隔は発光素子基板２３の短手方向の寸法に対応する。一対の立設部２６ｂは、支持部材２４の貫通孔２４ｅを挿通して発光素子基板２３の長手方向に沿う端部（短手方向と直交する端部）へと延伸する。延伸部２６ｃとベース部２６ａとの間隔は、支持部材２４の基板支持部２４ａの厚みと発光素子基板２３の厚みと主反射部材３０の厚みの合計に略等しい。これにより、一対の延伸部２６ｃが発光素子基板２３の長手方向に沿う端部を係止する係止片を構成する。
基板固定部材２６は、電源部２９と発光素子基板２３とを接続する配線（図示省略）を保護する保護部２６ｄを有している。電源部２９からの配線は基板支持部２４ａの貫通孔２４ｆを挿通する。保護部２６ｄは発光素子基板２３の長手方向の一端側が開口する配線通路２６ｅを内部に有し、貫通孔２４ｆと一緒に配線を覆う。
【００４０】
図１１は、配線固定部材２７の図であり、（Ａ）は支持部材２４側から見た図であり、（Ｂ）は斜視図である。
図７及び図１１に示すように、配線固定部材２７は、発光素子基板２３と接続する配線を固定する。これは、配線が発光素子２１から発せられた光を遮るのを防止するためである。配線固定部材２７は、図１１に示すように、発光素子基板２３の長手方向に沿って延伸する本体部２７ａと、本体部２７ａの長手方向の両端に設けられた固定ピン部２７ｂとを有する。本体部２７ａにおける発光素子基板２３側には配線が配される配線収容溝が設けられている。配線収容溝は支持部材２４の基板支持部２４ａ側からみたときにＵ字状をしている。Ｕ字状の配線収容溝は、発光素子基板２３の短手方向に延伸する一対の横溝２７ｃと一対の横溝２７ｃにおける発光素子基板２３から遠い側を長手方向に連結する縦溝２７ｄとから構成される。
【００４１】
配線は、隣接する発光素子基板２３ａ，２３ｂを接続する配線と、電源部２９と発光素子基板２３とを接続する配線とがある。発光素子基板２３ａ，２３ｂ同士を接続する配線は、発光素子基板２３の短手方向に延伸する（Ｕ字における開口と対向する連結部分が長手方向に延伸する）Ｕ字状をし、配線収容溝内に配される。電源部３９と発光素子基板２３とを接続する配線は発光素子基板２３に対して短手方向から接続され、配線収容溝の一対の横溝２７ｃ内に配される。
なお、本体部２７ａにおける支持部材２４の基板支持部２４ａと反対側の面は、発光素子基板２３に近づくに従って低くなる傾斜面２７ｅとなっており、図８に示すように主反射部材３０の延伸領域部３０ｂの傾斜配置を妨げないようにしている。
【００４２】
図７に示すバネ受部２８ａ，２８ｂは、例えば金属製の金具であり、支持部材２４の取付面側に固定されており、バネ受部２８ａは器具１０のバネ部１３ａ（図４の（Ｂ）参照）と係合し、バネ受部２８ｂは器具１０のバネ部１３ｂ（図４の（Ｂ）参照）と係合する。
バネ部１３ａ，１３ｂは、発光ユニット２０を器具１０に取り付けた際に、透光性カバー２２における入り込み部分２２２が、器具１０の凹部１１１における一対の内側板部１１５ａ，１１６ａに押圧されるように弾性力を与える。これにより、器具１０と発光ユニット２０とが確実に接触し、発光素子２１の発光の際に発生した熱を器具１０側に伝導させて効率よく排熱することができる。
なお、本実施形態では、バネ部１３ａ，１３ｂを器具１０側に設け、バネ受部２８ａ，２８ｂを発光ユニット２０側に設けているが、バネ部１３ａ，１３ｂを発光ユニット２０側に設け、バネ受部２８ａ，２８ｂを器具１０側に設けてもよい。
【００４３】
電源部２９は、図３及び図７に示すように略直方体形状のボックス２９ａ内にＬＥＤ等の発光素子２１の点灯回路を収納した点灯ユニットであり、交流電力の供給を受けて、発光素子２１の点灯に適した安定した直流電力を出力する。なお、点灯回路は、基板２９ｂと回路部品２９ｃとから構成される。
【００４４】
図１２は、主反射部材３０の斜視図である。
図７、図８及び図１２に示すように、主反射部材３０は、例えば反射シートであり、発光素子２１から照射すべきでない方向へ発せられた光を照射すべき方向に反射する機能を備える。詳細には、主反射部材３０は、図８及び図１２に示すように、発光素子基板２３と支持部材２４の基板支持部２４ａとの間に配された支持領域部３０ａと、支持領域部３０ａの短手方向の端部から延伸する延伸領域部３０ｂとを有する。延伸領域部３０ｂは発光素子基板２３の長辺から離れる程、照射すべき方向へ突出するように傾斜している。
【００４５】
延伸領域部３０ｂは、図８に示すように、支持部材２４の連結部２４ｃの傾斜面に当接するように延伸し、延伸先端部が連結部２４ｃと透光性カバー２２の突出片２２１ｂとの間に配される。これにより、主反射部材３０としてシートを使用しても所定の傾斜状態が保持される。なお、主反射部材３０は、図１２に示すように、基板固定部材２５，２６の延伸部２５ｃ，２６ｃに対応して貫通孔３０ｃを有する。
【００４６】
副反射部材３１は、例えば反射シートであり、発光素子２１から照射すべきでない方向へ発せられた光を照射すべき方向に反射する機能を備える。詳細には、副反射部材３１は、図７及び図８に示すように、帯状をし、発光素子基板２３の発光素子２１に対応する部分に貫通孔を有している。
【００４７】
図１３は発光側端部カバー３４を示す図であり、（Ａ）は斜視図であり、（Ｂ）は内側から見た側面図であり、（Ｃ）は平面図である。
発光側端部カバー３４，３５は互いに同じ構成であるため、以下、発光側端部カバー３４について説明する。なお、発光側端部カバー３４の構成を説明する「３４」に加えられるアルファベットは、発光側端部カバー３５の説明は省略しているが、発光側端部カバー３５にも同様に使用する。
【００４８】
発光側端部カバー３４は、図１３に示すように、筐体本体３３の長手方向と直交する板状の発光側蓋部３４ａを有する。発光側蓋部３４ａは筐体本体３３の長手方向と直交する断面形状に近い形状をしている。
発光側端部カバー３４は、発光側蓋部３４ａから筐体本体３３側へと延伸して筐体本体３３の内部へと挿入される挿入部３４ｂ，３４ｃ，３４ｄを有している。
挿入部３４ｂは透光性カバー２２のカバー本体２２０に沿って延伸し、カバー本体２２０の裏面（内面）と当接する。挿入部３４ｃ，３ｄは支持部材２４の連結部２４ｃに沿って延伸し、連結部２４ｃの表面と当接する。ここでの挿入部３４ｄは挿入部３４ｃよりも延伸しており、先端部分に発光側端部カバー３４を筐体本体３３に固定するための固定手段が設けられている。固定手段は連結部２４ｃ側に突出する突出部分３４ｅにより構成される。突出部分３４ｅは支持部材２４の貫通孔に係合する。
【００４９】
発光側端部カバー３４は、筐体本体３３の裏壁の外面を当該裏壁と平行に延伸する延伸部３４ｆを有している。ここでの筐体本体３３の裏壁の外面は支持部材２４の外面（裏面）である。
延伸部３４ｆは支持部材２４の基板支持部２４ａの幅（短手方向の寸法）よりも大きく、基板支持部２４ａと対向する部分が当接部３４ｇとなっている。当接部３４ｇは基板支持部２４ａと当接する。
発光側端部カバー３４は延伸部３４ｆから当該延伸部３４ｆの厚み方向であって外方（裏側）へ突出する突出部３４ｈと、突出部３４ｈから筐体本体３３の長手方向の中央側に移るに従って突出量が減少するガイド部３４ｊとを有する。
【００５０】
突出部３４ｈは、延伸部３４ｆにおける基板支持部２４ａの短手方向の端部に相当する部位から突出し、合計で２個ある。
突出部３４ｈは、筐体本体３３側、つまり筐体本体３３の長手方向の中央側が開口する矩形箱状に突出している。それぞれの突出部３４ｈは突出方向（裏側）から見たときに、筐体本体３３の短手方向に長い矩形状をしている。なお、２つの突出部３４ｈ，３４ｈは筐体本体３３の短手方向に間隔をおいて設けられている。突出部３４ｈは延伸部３４ｆにおける筐体本体３３の長手方向の端縁（発光側蓋部３４ａの外面であって裏側の端縁である。）から所定の間隔をおいて設けられている。この長手方向の端縁と突出部３４ｈの間の領域が、器具１０の器具側端部カバー１２１，１２２の立設部１２１ｎ，１２２ｎと当接する当接部３４ｋとなっている。
【００５１】
ガイド部３４ｊは、筐体本体３３の長手方向において突出部３４ｈよりも内側に存在している。ガイド部３４ｊは突出部３４ｈに向かう登り勾配の傾斜面３４ｊ１を有する。ガイド部３４ｊは突出部３４ｈにおける筐体本体３３の短手方向の外側端に位置している。ガイド部３４ｊは突出部３４ｈにおける筐体本体３３の外側端に位置する外面と略面一状となっている。具体的には、突出部３４ｈの外側に位置する壁から一体で筐体本体３３の長手方向の中央側に板状に張り出すように設けられている。なお、延伸部３４ｆは突出部３４ｈ及びガイド部３４ｊよりも筐体本体３３の短手方向の外側にまで広がっている。
【００５２】
［器具本体への発光ユニットの取り付けについて］
図１４を主に用いて説明する。図１４の（Ａ）は発光ユニット２０の凹部１１１への入り込みが分かるように器具本体１１を取り除いた図としている。なお、ここでは発光側端部カバー３４側について説明しているが、発光側端部カバー３５側でも同様のことが言える。
発光ユニット２０は、同図の（Ａ）に示すようにその裏面側の一部が器具１０の凹部１１１に入り込んだ状態で、取付けられる。発光ユニット２０は同図の（Ｂ）に示すように突出部３４ｈを長手方向の両端に有し、この突出部３４ｈが同図の（Ａ）に示すように凹部１１１に入り込む。
突出部３４ｈは、発光ユニット２０の長手方向の端に位置する発光側端部カバー３４の端面よりも長手方向の内側に位置している。このため、発光ユニット２０の長手方向の端面と器具１０の長手方向の端面との段差を少なくできる。これにより照明装置１としての意匠性を向上させることができる。
【００５３】
発光ユニット２０は突出部３４ｈを長手方向の両端に有し、この突出部３４ｈが凹部１１１に入り込む。これにより、発光ユニット２０が器具１０に対して長手方向に移動するのを規制できる。
発光ユニット２０は、突出部３４ｈに対して発光ユニット２０の長手方向の内側にガイド部３４ｊを有している。これにより、例えば、突出部３４ｈが器具１０の凹部１１１ｂの外側（長手方向における外側である。）に位置する状態で発光ユニット２０を器具１０に対して長手方向にスライドさせても、突出部３４ｈが器具１０の端部（器具側端部カバー１２１）に衝突するのを防止できる。なお、ガイド部を有しない発光ユニットの場合、突出部が器具１０の端部に衝突して、発光側端部カバー３４が筐体本体３３から外れることもある。
【００５４】
［照明装置について］
以上のように、本実施形態の照明装置１によれば、カバー本体２２０に一対の突出部分２２１を設けることにより、見栄えを悪くせずに、突出部分２２１の平面に水平な方向へのたわみを抑制することができ、特に照明装置１を天井に取り付けた際に透光性カバー２２がたわみ難くなる。
また、透光性カバー２２に、一対の突出部分２２１のそれぞれに隣接して、一対の入り込み部分２２２を設けることにより、発光ユニット２０がたわんだ場合でも、器具１０と発光ユニット２０との境界部分に隙間が生じないので、見栄えが悪くならない。
【００５５】
また、取り扱いの際に作業者が一対の突出部分２２１を掴むことにより、発光ユニット２０をしっかりとホールドすることができるので、見栄えを悪くせずに、取り扱い易くすることができる。
また、透光性カバー２２が、器具１０の開口部分から横方向に食み出さないので、見た目がスッキリしてデザイン性に優れる。
また、一対の突出部分２２１に凹凸２２１ａを設けることにより、凹凸２２１ａが滑り止めとなり、発光ユニット２０をよりしっかりとホールドすることができ、デザイン性にも優れ、且つ、光を強く拡散して天井面を照らし、明るく感じさせることができる。
【００５６】
［変形例］
１．器具側端部カバー
実施形態の器具側端部カバー１２１，１２２は樹脂製であったが、他の材料、例えば金属材料により構成してもよい。金属製の器具側端部カバー１１２１について図１５を用いて説明する。なお、器具側端部カバー１１２１が器具本体１１の長手方向の両端に装着される。
器具側端部カバー１１２１は金属板を曲げ加工するより形成されている。器具側端部カバー１１２１は器具本体１１の長手方向の両端を覆うように取り付けられ、器具側端部カバー１１２１の一部が凹部１１１における一対の端壁を構成する。
器具側端部カバー１１２１は、器具本体１１の長手方向と直交する板状の器具側蓋部１１２１ａと、器具側蓋部１１２１ａから器具本体１１側へと延伸して器具本体１１の裏面と当接する裏面当接部１１２１ｂ，１１２１ｃとを有している。なお、裏面当接部１１２１ｂ,１１２１ｃは側板部１１５，１１６の外側板部１１５ｂ，１１６ｂに当接する。
【００５７】
器具側端部カバー１１２１は器具側蓋部１１２１ａの裏側端から器具本体１１側に延伸する裏側延伸部１１２１ｅを有する。裏側延伸部１１２１ｅは器具本体１１の短手方向に相当する方向の中央部分が凹入している。
器具側端部カバー１１２１には器具側端部カバー１１２１を器具本体１１に取り付けるための取付手段が設けられている。取付手段の１つとして、例えば、裏側延伸部１１２１ｅの凹入部の両側から器具本体１１側に延伸して器具本体１１の係合孔１１４ｂ（図４参照）に係合する係合爪１１２１ｆが設けられている。他の取付手段の１つとして、器具側蓋部１１２１ａの器具本体１１の短手方向の両端から器具本体１１側にして器具本体１１の係合片１１５ｄ，１１６ｄに係合する係合爪１１２１ｇが設けられている。
【００５８】
器具側端部カバー１１２１は器具本体１１の長手方向の外方からみたときに、高さが低い截頭二等辺三角形（斜辺の傾きが同じである台形状である。）の截頭部分が底辺側に凹入したような形状をしている。なお、凹入した凹入部分の符号を１１２１ｈとする。
器具側端部カバー１１２１は、凹入部分１１２１ｈの裏面側から器具本体１１へと延伸する表側延伸部１１２１ｉと、表側延伸部１１２１ｉの延伸先端から裏側へと略直角に折り曲げられた折り曲げ部１１２１ｊとを有している。なお、表側延伸部１１２１ｉは発光側端部カバー３４の当接部３４ｋに当接する。折り曲げ部１１２１ｊは発光側端部カバー３４の突出部３４ｈの外面と対向する。
なお、実施形態の器具側端部カバー１２１は樹脂製であり、本変形例の器具側端部カバー１１２１は金属製である。しかしながら、器具側端部カバーは、樹脂と金属とが一体成形されたものや、樹脂製の第１カバーと金属製の第２カバーとから構成されたものであってもよい。
【００５９】
２．突出部
実施形態における発光ユニット２０の突出部３４ｈは長手方向の各端部に２個存在していたが、１個でもよく、また３個以上でもよい。突出部３４ｈは突出方向から見たときに矩形状をしていたが、他の形状でもよい。但し、突出部における器具の凹部の長手方向の端部と当接する面（突出部において発光ユニットの長手方向の外面に相当する面である。）は筐体本体の裏面に対して直交している方が好ましい。突出部３４ｈは箱状（中空状）に突出していたが、中実状に突出してもよい。材料費、重量の観点からは中空状の方が好ましい。
【００６０】
３．ガイド部
実施形態におけるガイド部３４ｊは１つの発光側端部カバー３４に２個存在していたが、１個でもよく、３個以上でもよい。傾斜面３４ｊ１は直線状であったが、例えば円弧状、放物線状等の曲線であってもよい。
ガイド部３４ｊは突出部３４ｈと一体に設けられていたが、発光側端部カバーに別体で設けられてもよい。ガイド部３４ｊは発光ユニット２０の短手方向の両端に設けられていたが、例えば短手方向の中央に１個又は複数個設けられてもよい。なお、短手方向に間隔をおいて複数個設けることで、発光ユニットを安定した姿勢でスライドできる。
突出部３４ｈの突出方向から発光ユニット２０を見たときに、ガイド部３４ｊは突出部３５ｈにおける発光ユニット２０の短手方向の外方端に設けられていたが、例えば突出部３５ｈにおける発光ユニット２０の短手方向の中央や内方等にガイド部を設けてもよい。
ガイド部３４ｊは、突出部３４ｈと同様に発光側端部カバー３４に設けられていたが、突出部を構成する部材と異なる部材に設けられてよい。例えば、筐体本体の裏面を有する部材（支持部材）に設けてもよい。なお、突出部も筐体本体の裏面を有する部材に設けてもよい。
【００６１】
４．透光性カバー
透光性カバー２２の一対の突出部分２２１は、長手方向と直交する断面において、器具１０の凹部１１１の開口部分の短手方向の幅と略同一の幅のままでカバー本体２２０から突出しているが、突出部分は短手方向へと凹入する凹入領域を有してもよい。なお、凹入領域を設けることで、発光ユニットの器具への取り付けが容易に行える。以下、凹入領域を有する透光性カバーについて説明する。
カバー本体１２２Ａ，１２２Ｂ，１２２Ｃは、図１６の（Ａ）及び（Ｂ）並びに図１７の（Ａ）に示すように、カバー本体２２０の長手方向と直交する断面において、内側に三角状に凹入する突出部１２２１Ａ，１２２１Ｂ，１２２１Ｃを有している。突出片２２１ｂは、図１６の（Ａ）及び（Ｂ）に示すように突出部１２２１Ａ，１２２１Ｂの入り込み部分２２２に隣接する部分に設けられたり、図１７の（Ａ）に示すように突出部１２２１Ｃにおける凹入底部分に設けられたりしている。
【００６２】
カバー本体１２２Ｄは、図１７の（Ｂ）に示すように、カバー本体２２０の長手方向と直交する断面において、内側に円弧状に凹入する突出部１２２１Ｄを有している。なお、突出片２２１ｂは突出部１２２１Ｄにおける凹入底部分に設けられたりしている。
なお、突出部１２２１Ａ〜１２２１Ｄは、実施形態で説明した凹凸２２１ａを有してもよい。
【符号の説明】
【００６３】
１        照明装置
１０      器具
１１      器具本体
１１１    凹部
１２１    器具側端部カバー
１２２    器具側端部カバー
２０      発光ユニット
２１      発光素子
２２      透光性カバー
２２０    カバー本体
２２１    突出部分
２２２    入り込み部分
２４      支持部材
３２      筐体
３３      筐体本体
３４      発光側端部カバー
３５      発光側端部カバー
３４ｈ    突出部
３４ｊ    ガイド部
３４ｊ１  傾斜面
【図１】
0006570426.tif 000002
【図２】
0006570426.tif 000003
【図３】
0006570426.tif 000004
【図４】
0006570426.tif 000005
【図５】
0006570426.tif 000006
【図６】
0006570426.tif 000007
【図７】
0006570426.tif 000008
【図８】
0006570426.tif 000009
【図９】
0006570426.tif 000010
【図１０】
0006570426.tif 000011
【図１１】
0006570426.tif 000012
【図１２】
0006570426.tif 000013
【図１３】
0006570426.tif 000014
【図１４】
0006570426.tif 000015
【図１５】
0006570426.tif 000016
【図１６】
0006570426.tif 000017
【図１７】
0006570426.tif 000018